(57)【特許請求の範囲】
【請求項１】
ユーザに対し投影面に画像を投影する投影装置の操作を有効にするか否かの設定を受け付ける設定部と、
前記投影装置を操作可能なユーザの権限である操作権を有する操作者を、前記投影面から各ユーザまでの距離に応じて、前記投影面に最も近いユーザを前記操作者として決定し、前記操作者が前記投影面から所定距離以上離れた場合に該操作者が有する前記操作権を無効にし、前記操作権が無効にされたときに前記各ユーザに対して前記投影装置の操作を有効にする設定がなされている場合に、前記各ユーザを、前記操作権とは異なる前記権限であるサブ操作権を有するサブ操作者として決定する決定部と、
撮像装置によって撮像された映像から、前記投影装置を操作するために行なわれる前記各ユーザによる動作であるジェスチャを検出する検出部と、
検出された前記ジェスチャが決定された前記操作者又は前記サブ操作者によるジェスチャであるか否かを判定する判定部と、
前記操作者又は前記サブ操作者によるジェスチャであると判定された場合に、該ジェスチャに対応する前記画像を生成する生成部と、
生成された前記画像を前記投影装置に出力する出力部と
を有することを特徴とする情報処理装置。
【請求項２】
ユーザに対し投影面に画像を投影する投影装置の操作を有効にするか否かの設定を受け付ける設定部と、
前記投影装置を操作可能なユーザの権限である操作権を有する操作者を、前記投影面から各ユーザまでの距離に応じて、所定範囲内に存在する前記ユーザを前記操作者として決定し、前記操作者が前記所定範囲から外れた場合に該操作者が有する前記操作権を無効にし、全ての前記操作権が無効にされたときに前記各ユーザに対して前記投影装置の操作を有効にする設定がなされている場合に、前記各ユーザを、前記操作権とは異なる前記権限であるサブ操作権を有するサブ操作者として決定する決定部と、
撮像装置によって撮像された映像から、前記投影装置を操作するために行なわれる前記各ユーザによる動作であるジェスチャを検出する検出部と、
検出された前記ジェスチャが決定された前記操作者又は前記サブ操作者によるジェスチャであるか否かを判定する判定部と、
前記操作者又は前記サブ操作者によるジェスチャであると判定された場合に、該ジェスチャに対応する前記画像を生成する生成部と、
生成された前記画像を前記投影装置に出力する出力部と
を有することを特徴とする情報処理装置。
【請求項３】
前記判定部は、検出された前記ジェスチャが割り込み可能なジェスチャであるか否かをさらに判定し、
前記生成部は、前記操作者によるジェスチャでないと判定された場合、且つ、検出された前記ジェスチャが割り込み可能なジェスチャであると判定された場合に、該ジェスチャに対応する前記画像を生成することを特徴とする請求項１又は２に記載の情報処理装置。
【請求項４】
前記決定部は、処理開始から所定時間が経過した場合、且つ、前記各ユーザに対して前記投影装置の操作を有効にする設定がなされている場合に、前記各ユーザを前記サブ操作者として決定することを特徴とする請求項１又は２に記載の情報処理装置。
【請求項５】
前記決定部によって全ての前記操作権が無効にされた場合に、投影中の前記画像に関する画像情報を記憶部に記録する画像情報記録部と、
前記操作権が無効にされた後、前記決定部によって前記操作者が再度決定された場合に、前記記憶部から前記画像情報を取得し、取得した前記画像情報をもとに前記画像を再生成する再生成部と
をさらに有し、
前記出力部は、再生成された前記画像を前記投影装置に出力することを特徴とする請求項１又は２に記載の情報処理装置。
【請求項６】
ユーザに対し投影面に画像を投影する投影装置の操作を有効にするか否かの設定を受け付けるステップと、
前記投影装置を操作可能なユーザの権限である操作権を有する操作者を、前記投影面から各ユーザまでの距離に応じて、前記投影面に最も近いユーザを前記操作者として決定し、前記操作者が前記投影面から所定距離以上離れた場合に該操作者が有する前記操作権を無効にし、前記操作権が無効にされたときに前記各ユーザに対して前記投影装置の操作を有効にする設定がなされている場合に、前記各ユーザを、前記操作権とは異なる前記権限であるサブ操作権を有するサブ操作者として決定するステップと、
撮像装置によって撮像された映像から、前記投影装置を操作するために行なわれる前記各ユーザによる動作であるジェスチャを検出するステップと、
検出された前記ジェスチャが決定された前記操作者又は前記サブ操作者によるジェスチャであるか否かを判定するステップと、
前記操作者又は前記サブ操作者によるジェスチャであると判定された場合に、該ジェスチャに対応する前記画像を生成するステップと、
生成された前記画像を前記投影装置に出力するステップと
をコンピュータに実行させるための操作者決定プログラム。
【請求項７】
ユーザに対し投影面に画像を投影する投影装置の操作を有効にするか否かの設定を受け付けるステップと、
前記投影装置を操作可能なユーザの権限である操作権を有する操作者を、前記投影面から各ユーザまでの距離に応じて、所定範囲内に存在する前記ユーザを前記操作者として決定し、前記操作者が前記所定範囲から外れた場合に該操作者が有する前記操作権を無効にし、全ての前記操作権が無効にされたときに前記各ユーザに対して前記投影装置の操作を有効にする設定がなされている場合に、前記各ユーザを、前記操作権とは異なる前記権限であるサブ操作権を有するサブ操作者として決定するステップと、
撮像装置によって撮像された映像から、前記投影装置を操作するために行なわれる前記各ユーザによる動作であるジェスチャを検出するステップと、
検出された前記ジェスチャが決定された前記操作者又は前記サブ操作者によるジェスチャであるか否かを判定するステップと、
前記操作者又は前記サブ操作者によるジェスチャであると判定された場合に、該ジェスチャに対応する前記画像を生成するステップと、
生成された前記画像を前記投影装置に出力するステップと
をコンピュータに実行させるための操作者決定プログラム。
【請求項８】
投影面に画像を投影する投影装置と、情報処理装置とを有する投影システムであって、
前記情報処理装置は、
ユーザに対し前記投影装置の操作を有効にするか否かの設定を受け付ける設定部と、
前記投影装置を操作可能なユーザの権限である操作権を有する操作者を、前記投影面から各ユーザまでの距離に応じて、前記投影面に最も近いユーザを前記操作者として決定し、前記操作者が前記投影面から所定距離以上離れた場合に該操作者が有する前記操作権を無効にし、前記操作権が無効にされたときに前記各ユーザに対して前記投影装置の操作を有効にする設定がなされている場合に、前記各ユーザを、前記操作権とは異なる前記権限であるサブ操作権を有するサブ操作者として決定する決定部と、
撮像装置によって撮像された映像から、前記投影装置を操作するために行なわれる前記各ユーザによる動作であるジェスチャを検出する検出部と、
検出された前記ジェスチャが決定された前記操作者又は前記サブ操作者によるジェスチャであるか否かを判定する判定部と、
前記操作者又は前記サブ操作者によるジェスチャであると判定された場合に、該ジェスチャに対応する前記画像を生成する生成部と、
生成された前記画像を前記投影装置に出力する出力部と
を有し、
前記投影装置は、
前記情報処理装置によって出力された前記画像を前記投影面に投影する投影部と、
前記投影面に投影した前記画像に対するフォーカス状態を検出するフォーカス状態検出部と
を有することを特徴とする投影システム。
【請求項９】
投影面に画像を投影する投影装置と、情報処理装置とを有する投影システムであって、
前記情報処理装置は、
ユーザに対し投影面に画像を投影する投影装置の操作を有効にするか否かの設定を受け付ける設定部と、
前記投影装置を操作可能なユーザの権限である操作権を有する操作者を、前記投影面から各ユーザまでの距離に応じて、所定範囲内に存在する前記ユーザを前記操作者として決定し、前記操作者が前記所定範囲から外れた場合に該操作者が有する前記操作権を無効にし、全ての前記操作権が無効にされたときに前記各ユーザに対して前記投影装置の操作を有効にする設定がなされている場合に、前記各ユーザを、前記操作権とは異なる前記権限であるサブ操作権を有するサブ操作者として決定する決定部と、
撮像装置によって撮像された映像から、前記投影装置を操作するために行なわれる前記各ユーザによる動作であるジェスチャを検出する検出部と、
検出された前記ジェスチャが決定された前記操作者又は前記サブ操作者によるジェスチャであるか否かを判定する判定部と、
前記操作者又は前記サブ操作者によるジェスチャであると判定された場合に、該ジェスチャに対応する前記画像を生成する生成部と、
生成された前記画像を前記投影装置に出力する出力部と
を有し、
前記投影装置は、
前記情報処理装置によって出力された前記画像を前記投影面に投影する投影部と、
前記投影面に投影した前記画像に対するフォーカス状態を検出するフォーカス状態検出部と
を有することを特徴とする投影システム。
【発明の詳細な説明】
【技術分野】
【０００１】
本発明は、情報処理装置、操作者決定プログラム及び投影システムに関する。
【背景技術】
【０００２】
従来、スクリーンに画像を投影するプロジェクタ等の投影装置に触れることなく、離れた場所から操作可能な技術がある。例えば、リモコンやレーザポインタ等の操作媒体からの指示により各種操作を受け付ける投影装置が知られている。但し、操作媒体により操作可能な投影装置を利用する場合に、ユーザは、操作媒体を常に手元に用意しておかなければならず、さらに複数ユーザによる操作を実現するためには操作媒体を複数用意しなければならない。また、操作媒体による投影装置の各種操作は煩雑になりがちであり、操作媒体を紛失してしまうと、投影装置を操作することもできなくなる。
【０００３】
そこで、最近では、投影装置を操作するために行なわれるユーザによる動作であるジェスチャを検出し、検出したジェスチャに応じた各種操作を実現する投影装置が知られている。例えば、特許文献１（特開２０１０−２７７１７６号公報）では、特定のジェスチャを行なったユーザに投影装置の操作権を与える技術が開示されている。
【発明の概要】
【発明が解決しようとする課題】
【０００４】
しかしながら、従来技術では、投影装置を利用したプレゼンテーションの進行を妨げてしまう可能性があるという問題がある。従来技術では、特定のジェスチャを行なった複数ユーザに操作権を与えることにより、プレゼンテーションを行なっていない操作権を有するユーザのジェスチャに応じた操作も実行される。但し、プレゼンテーションを行なっていない操作権を有するユーザも動くことがあるため、該ユーザが意図せずにジェスチャを行なってしまったとしても、意図しないジェスチャに応じた操作が実行されることになる。これらの結果、従来技術では、プレゼンテーションを行なっていない操作権を有するユーザのジェスチャにより、プレゼンテーションの進行を妨げてしまう可能性がある。
【０００５】
本発明は、上記に鑑みてなされたものであって、投影装置を利用したプレゼンテーションの進行を円滑にすることが可能である情報処理装置、操作者決定プログラム及び投影システムを提供することを目的とする。
【課題を解決するための手段】
【０００６】
上述した課題を解決し、目的を達成するため、本発明に係る情報処理装置は、ユーザに対し投影面に画像を投影する投影装置の操作を有効にするか否かの設定を受け付ける設定部と、前記投影装置を操作可能なユーザの権限である操作権を有する操作者を、前記投影面から各ユーザまでの距離に応じて、前記投影面に最も近いユーザを前記操作者として決定し、前記操作者が前記投影面から所定距離以上離れた場合に該操作者が有する前記操作権を無効にし、前記操作権が無効にされたときに前記各ユーザに対して前記投影装置の操作を有効にする設定がなされている場合に、前記各ユーザを、前記操作権とは異なる前記権限であるサブ操作権を有するサブ操作者として決定する決定部と、撮像装置によって撮像された映像から、前記投影装置を操作するために行なわれる前記各ユーザによる動作であるジェスチャを検出する検出部と、検出された前記ジェスチャが決定された前記操作者又は前記サブ操作者によるジェスチャであるか否かを判定する判定部と、前記操作者又は前記サブ操作者によるジェスチャであると判定された場合に、該ジェスチャに対応する前記画像を生成する生成部と、生成された前記画像を前記投影装置に出力する出力部とを有する。
【０００７】
また、本発明に係る操作者決定プログラムは、ユーザに対し投影面に画像を投影する投影装置の操作を有効にするか否かの設定を受け付けるステップと、前記投影装置を操作可能なユーザの権限である操作権を有する操作者を、前記投影面から各ユーザまでの距離に応じて、前記投影面に最も近いユーザを前記操作者として決定し、前記操作者が前記投影面から所定距離以上離れた場合に該操作者が有する前記操作権を無効にし、前記操作権が無効にされたときに前記各ユーザに対して前記投影装置の操作を有効にする設定がなされている場合に、前記各ユーザを、前記操作権とは異なる前記権限であるサブ操作権を有するサブ操作者として決定するステップと、撮像装置によって撮像された映像から、前記投影装置を操作するために行なわれる前記各ユーザによる動作であるジェスチャを検出するステップと、検出された前記ジェスチャが決定された前記操作者又は前記サブ操作者によるジェスチャであるか否かを判定するステップと、前記操作者又は前記サブ操作者によるジェスチャであると判定された場合に、該ジェスチャに対応する前記画像を生成するステップと、生成された前記画像を前記投影装置に出力するステップとをコンピュータに実行させる。
【０００８】
また、本発明に係る投影システムは、投影面に画像を投影する投影装置と、情報処理装置とを有する投影システムであって、前記情報処理装置は、ユーザに対し前記投影装置の操作を有効にするか否かの設定を受け付ける設定部と、前記投影装置を操作可能なユーザの権限である操作権を有する操作者を、前記投影面から各ユーザまでの距離に応じて、前記投影面に最も近いユーザを前記操作者として決定し、前記操作者が前記投影面から所定距離以上離れた場合に該操作者が有する前記操作権を無効にし、前記操作権が無効にされたときに前記各ユーザに対して前記投影装置の操作を有効にする設定がなされている場合に、前記各ユーザを、前記操作権とは異なる前記権限であるサブ操作権を有するサブ操作者として決定する決定部と、撮像装置によって撮像された映像から、前記投影装置を操作するために行なわれる前記各ユーザによる動作であるジェスチャを検出する検出部と、検出された前記ジェスチャが決定された前記操作者又は前記サブ操作者によるジェスチャであるか否かを判定する判定部と、前記操作者又は前記サブ操作者によるジェスチャであると判定された場合に、該ジェスチャに対応する前記画像を生成する生成部と、生成された前記画像を前記投影装置に出力する出力部とを有し、前記投影装置は、前記情報処理装置によって出力された前記画像を前記投影面に投影する投影部と、前記投影面に投影した前記画像に対するフォーカス状態を検出するフォーカス状態検出部とを有する。
【発明の効果】
【０００９】
本発明の一つの様態によれば、投影装置を利用したプレゼンテーションの進行を円滑にすることができるという効果を奏する。
【図面の簡単な説明】
【００１０】
【図１】図１は、実施の形態１に係る情報処理装置の構成例を示す機能ブロック図である。
【図２】図２は、実施の形態１に係る操作者決定処理を説明する図である。
【図３】図３は、実施の形態１に係る操作者決定処理の流れの例を示すフローチャートである。
【図４】図４は、実施の形態２に係る操作者決定処理を説明する図である。
【図５】図５は、実施の形態２に係る操作者決定処理の流れの例を示すフローチャートである。
【図６】図６は、実施の形態３に係る操作者決定処理を説明する図である。
【図７】図７は、実施の形態３に係る操作者決定処理の流れの例を示すフローチャートである。
【図８】図８は、実施の形態４に係る操作者決定処理を説明する図である。
【図９】図９は、実施の形態４に係る操作者決定処理の流れの例を示すフローチャートである。
【図１０】図１０は、割り込みテーブルの例を示す図である。
【図１１】図１１は、実施の形態５に係る操作者決定処理の流れの例を示すフローチャートである。
【図１２】図１２は、実施の形態５に係る操作者決定処理の流れの例を示すフローチャートである。
【図１３】図１３は、時間経過によって操作者を変化させる場合の操作者決定処理の流れの例を示すフローチャートである。
【図１４】図１４は、時間経過によって操作者を変化させる場合の操作者決定処理の流れの例を示すフローチャートである。
【図１５】図１５は、記録した画面を再度出力する機能を有する情報処理装置の構成例を示す機能ブロック図である。
【図１６】図１６は、記録画像再出力処理の流れの例を示すフローチャートである。
【図１７】図１７は、操作者決定プログラムがコンピュータを用いて実現されることを示す図である。
【発明を実施するための形態】
【００１１】
以下に添付図面を参照して、本発明に係る情報処理装置、操作者決定プログラム及び投影システムの実施の形態を説明する。なお、以下の実施の形態により本発明が限定されるものではない。また、各実施の形態は、内容を矛盾させない範囲で適宜組み合わせることが可能である。
【００１２】
（実施の形態１）
［実施の形態１に係る情報処理装置の構成］
図１を用いて、実施の形態１に係る情報処理装置の構成を説明する。図１は、実施の形態１に係る情報処理装置の構成例を示す機能ブロック図である。なお、図１の説明では、図２を適宜用いて説明する。図２は、実施の形態１に係る操作者決定処理を説明する図である。
【００１３】
図１に示すように、情報処理装置１００は、プロジェクタ等の投影装置１０と、カメラ等の撮像装置２０と、決定部１１０と、検出部１２０と、記憶部１３０と、判定部１３５と、生成部１４０と、出力部１５０とを有し、プレゼンテーション等の場面で利用される。また、プレゼンテーションに参加するユーザは、投影装置１０を操作するために行なう動作であるジェスチャを行なうことにより、操作対象の機器となる投影装置１０の操作が可能である。また、情報処理装置１００による処理のトリガは、投影装置１０の電源投入や、情報処理装置１００の機能を利用する設定が行なわれた場合等である。
【００１４】
投影装置１０は、出力部１５０によって出力された画像をスクリーン等の投影面に投影する投影部１１と、スクリーンに投影した画像に対するフォーカス状態を検出するフォーカス状態検出部１２とを有し、ジェスチャの操作対象となる機器である。また、フォーカス状態検出部１２は、フォーカス状態の検出において、情報処理装置１００からスクリーンまでの距離（図２参照）を求め、決定部１１０に出力する。撮像装置２０は、カメラにより情報処理装置１００の周辺を撮像し、撮像した映像を検出部１２０に出力する。検出部１２０では、撮像装置２０によって撮像された映像の各ユーザの位置を検出し、検出した各ユーザの位置を決定部１１０に出力する。
【００１５】
決定部１１０は、投影装置１０を操作可能なユーザの権限である操作権を有する操作者を決定する。より具体的には、決定部１１０は、検出部１２０によって出力された、情報処理装置１００から各ユーザまでの位置を取得するとともに、フォーカス状態検出部１２によって出力された、情報処理装置１００からスクリーンまでの距離を取得する。そして、決定部１１０は、情報処理装置１００から各ユーザまでの位置と、情報処理装置１００からスクリーンまでの距離と、情報処理装置１００から各ユーザの位置及び情報処理装置１００からスクリーンまでの位置とのなす角度とから、スクリーンから各ユーザまでの距離（図２参照）を求める。なお、図２では、説明の便宜上、スクリーンに最も近いユーザまでの距離を求めるための実線或いは破線を図示しているが、他のユーザそれぞれまでの距離も同様に求められる。続いて、決定部１１０は、スクリーンに最も近いユーザを、操作権を有する操作者として決定する。操作者を決定した決定部１１０は、決定した操作者に関する位置等の情報を記憶部１３０に格納する。
【００１６】
検出部１２０は、撮像装置２０によって撮像された映像から、各ユーザによる動作のうち、投影装置１０を操作するために行なわれる動作であるジェスチャを検出する。各ユーザによって行なわれるジェスチャの検出では、撮像装置２０によって撮像された所定フレームごとのユーザの特徴の差分から、ジェスチャを行なう部位である手や指等の動きを検出し、この動きがジェスチャにマッチしたものをジェスチャとして検出する手法等、任意の技術が利用される。また、検出部１２０によるジェスチャの検出は、操作者によるジェスチャだけでなく、図２に示した全てのユーザによるジェスチャを検出する。
【００１７】
記憶部１３０は、各ジェスチャと、該各ジェスチャに応じた投影装置１０に対する操作とを対応付けて記憶する。より具体的には、記憶部１３０は、ユーザによるジェスチャに対して、投影装置１０による画像の投影を次ページ、前ページ又は特定のページに移行させたり、アニメーション効果を実行させたりする等の各種操作を記憶する。また、記憶部１３０は、決定部１１０によって決定された操作者に関する位置等の情報も記憶する。
【００１８】
判定部１３５は、検出部１２０によって検出されたジェスチャが決定部１１０によって決定された操作者によるジェスチャであるか否かを判定する。操作者によるジェスチャであるか否かの判定では、記憶部１３０に記憶された操作者に関する位置等の情報と、検出部１２０によって検出されたジェスチャを行なったユーザの位置とが所定距離範囲内である（ほぼ一致する）か否かにより判定される。
【００１９】
生成部１４０は、判定部１３５によって操作者によるジェスチャであると判定された場合に、該ジェスチャに対応する操作を記憶部１３０から取得する。そして、生成部１４０は、取得した操作に応じて投影装置１０に投影させる画像を生成し、出力部１５０に出力する。出力部１５０は、生成部１４０によって出力された画像を投影装置１０に出力する。これに応じて、投影装置１０の投影部１１は、出力部１５０によって出力された画像をスクリーンに投影する。
【００２０】
［実施の形態１に係る操作者決定処理の流れ］
次に、図３を用いて、実施の形態１に係る操作者決定処理の流れについて説明する。図３は、実施の形態１に係る操作者決定処理の流れの例を示すフローチャートである。
【００２１】
図３に示すように、決定部１１０は、処理を開始する場合に（ステップＳ１０１肯定）、情報処理装置１００からスクリーンまでの距離と、情報処理装置１００から各ユーザまでの距離と、情報処理装置１００から各ユーザの位置及び情報処理装置１００からスクリーンまでの位置とのなす角度とから、スクリーンから各ユーザまでの距離を算出する（ステップＳ１０２）。ここで、処理開始のトリガは、投影装置１０の電源投入や、情報処理装置１００の機能を利用する設定が行なわれた場合等である。なお、情報処理装置１００からスクリーンまでの距離は投影装置１０から取得され、情報処理装置１００から各ユーザまでの距離は撮像装置２０から得られる情報から求められる。
【００２２】
一方、決定部１１０は、処理が開始されない場合に（ステップＳ１０１否定）、投影装置１０の電源投入や、情報処理装置１００の機能を利用する設定が行なわれるのを待つ状態となる。そして、決定部１１０は、スクリーンに最も近いユーザを、投影装置１０の操作権を有する操作者として決定する（ステップＳ１０３）。
【００２３】
また、検出部１２０は、撮像装置２０によって出力された映像から、ジェスチャが検出されたか否かを判定する（ステップＳ１０４）。このとき、検出部１２０によってジェスチャが検出されたと判定された場合に（ステップＳ１０４肯定）、判定部１３５は、決定部１１０によって決定された操作者によるジェスチャであるか否かを判定する（ステップＳ１０５）。一方、検出部１２０によってジェスチャが検出されていないと判定された場合に（ステップＳ１０４否定）、決定部１１０は、ステップＳ１０２の処理を再度実行する。
【００２４】
また、判定部１３５によって操作者によるジェスチャであると判定された場合に（ステップＳ１０５肯定）、生成部１４０は、該ジェスチャに対応する操作を記憶部１３０から取得し、取得した操作に応じて投影装置１０に投影させる画像を生成する（ステップＳ１０６）。その後、出力部１５０は、生成部１４０によって生成された画像を投影装置１０に出力する（ステップＳ１０７）。
【００２５】
［実施の形態１による効果］
上述したように、情報処理装置１００は、スクリーンから各ユーザまでの距離を適宜求め、スクリーンに最も近い位置に居るユーザ一人を操作者とし、操作者によるジェスチャだけに応じた画像を生成及び出力する。これに応じて、投影装置１０は、操作者のジェスチャに応じた操作のみに対応した画像をスクリーンに投影する。つまり、情報処理装置１００は、スクリーンに最も近い位置に居るユーザのみに投影装置１０の操作権を与える。これらの結果、情報処理装置１００は、プレゼンテーションを行なっていないユーザに操作権を与えることでプレゼンテーションの進行を妨げてしまう可能性がある従来技術と比較して、投影装置１０を利用したプレゼンテーションの進行を円滑にすることができる。
【００２６】
（実施の形態２）
上記実施の形態１では、スクリーンに最も近いユーザを操作者とする場合を説明したが、所定範囲内に存在するユーザを操作者とすることもできる。そこで、実施の形態２では、所定範囲に居るユーザを操作者とする場合を説明する。なお、実施の形態２では、以下に示す決定部１１０以外の各部の機能及び構成、処理については実施の形態１と同様である。
【００２７】
[実施の形態２に係る操作者決定処理]
図４を適宜用いて、実施の形態２に係る操作者決定処理を説明する。図４は、実施の形態２に係る操作者決定処理を説明する図である。
【００２８】
実施の形態２に係る決定部１１０は、スクリーンからの距離に応じた所定範囲内に存在するユーザを操作者として決定する。より具体的には、決定部１１０は、検出部１２０によって出力された、情報処理装置１００から各ユーザまでの位置を取得するとともに、フォーカス状態検出部１２によって出力された、情報処理装置１００からスクリーンまでの距離を取得する。そして、決定部１１０は、情報処理装置１００から各ユーザまでの位置と、情報処理装置１００からスクリーンまでの距離と、情報処理装置１００から各ユーザの位置及び情報処理装置１００からスクリーンまでの位置とのなす角度とから、スクリーンから各ユーザまでの距離（図４参照）を求める。なお、図４では、説明の便宜上、スクリーンからの距離に応じた所定範囲内に存在するユーザまでの距離を求めるための実線を図示しているが、他のユーザそれぞれまでの距離も同様に求められる。
【００２９】
続いて、決定部１１０は、スクリーンからの距離に応じて決められた所定範囲（図４に示した破線の楕円）内に存在するユーザを、操作権を有する操作者として決定する。かかる所定範囲は、例えば、スクリーンから所定方向に１メートル離れた位置を中心とする半径７０センチメートルに円とする。また、図４に示すように、所定範囲は、あらゆる位置に複数存在していても良く、好適な大きさであれば楕円や矩形等、どのような形状であっても良い。また、所定範囲内に存在するユーザである操作者は、スクリーンから各ユーザまでの距離（方向）等から決定される。図４の例では、所定範囲それぞれに一つずつユーザが存在するので、この二人が操作者となる。但し、所定範囲内にユーザが存在しないときには、操作者となるユーザが一人も居ない状態となる。
【００３０】
[実施の形態２に係る操作者決定処理の流れ]
次に、図５を用いて、実施の形態２に係る操作者決定処理の流れについて説明する。図５は、実施の形態２に係る操作者決定処理の流れの例を示すフローチャートである。なお、実施の形態１に係る操作者決定処理と同様の処理についてはその説明を省略する場合がある。具体的には、ステップＳ２０１とステップＳ２０２とは、ステップＳ１０１とステップＳ１０２とにおける処理と同様である。また、ステップＳ２０５〜ステップＳ２０８は、ステップＳ１０４〜ステップＳ１０７における処理と同様である。
【００３１】
図５に示すように、決定部１１０は、スクリーンからの距離に応じて決められた所定範囲内にユーザが存在するか否かを判定する（ステップＳ２０３）。所定範囲内にユーザが存在するか否かは、スクリーンから各ユーザまでの距離や情報処理装置１００からユーザまでの距離（方向）等を利用して判定される。このとき、決定部１１０は、所定範囲内にユーザが存在すると判定した場合に（ステップＳ２０３肯定）、所定範囲内に存在するユーザを、投影装置１０を操作可能な権限である操作権を有する操作者として決定する（ステップＳ２０４）。一方、決定部１１０は、所定範囲内にユーザが存在しないと判定した場合に（ステップＳ２０３否定）、ステップＳ２０２の処理を再度実行する。実施の形態２では、操作者は一人だけでなく複数人となる場合もある。これらの後、一人又は複数人の操作者によるジェスチャが検出されると、該ジェスチャに対応した画像が生成され、生成された画像が投影装置１０に出力されることになる。
【００３２】
[実施の形態２による効果]
上述したように、情報処理装置１００は、スクリーンからの距離に応じて決められた所定範囲内に存在するユーザを操作者とするので、投影装置１０を利用した複数ユーザによるプレゼンテーションが行なわれる場合に、プレゼンテーションの進行を円滑にすることができる。換言すると、情報処理装置１００は、プレゼンテーションを進行するユーザが居ることの多いであろうスクリーンの近傍に所定範囲を設定し、該所定範囲に存在する全てのユーザを操作者とするので、投影装置１０を利用したプレゼンテーションの進行を円滑にすることができる。
【００３３】
（実施の形態３）
上記実施の形態１では、スクリーンに最も近いユーザを操作者とする場合を説明したが、操作者がスクリーンから所定距離以上離れたときに該操作者によるジェスチャを無効にすることもできる。そこで、実施の形態３では、操作者がスクリーンから所定距離以上離れたときに該操作者によるジェスチャを無効にする場合を説明する。なお、実施の形態３では、以下に示す決定部１１０、判定部１３５、生成部１４０及び設定部以外の各部の機能及び構成、処理については実施の形態１と同様である。
【００３４】
[実施の形態３に係る操作者決定処理]
図６を適宜用いて、実施の形態３に係る操作者決定処理を説明する。図６は、実施の形態３に係る操作者決定処理を説明する図である。また、実施の形態３に係る情報処理装置１００は、操作者の操作権が無効にされたときなどに、ユーザ或いはシステム管理者によって行なわれた、各ユーザに対して投影装置１０の操作を有効にするか否かの設定を受け付ける設定部（不図示）を備えている。
【００３５】
実施の形態３に係る決定部１１０は、操作者がスクリーンから所定距離以上離れた場合に、該操作者の操作権（該操作者によるジェスチャ）を無効にする。そして、決定部１１０は、操作者の操作権が無効にされたときに各ユーザに対して投影装置１０の操作を有効にする設定がなされている場合に、各ユーザを、操作権とは異なる権限であるサブ操作権を有するサブ操作者として決定する。
【００３６】
図６に示すように、決定部１１０は、スクリーンに最も近いユーザであることから操作者となっていたユーザがスクリーンから所定距離（例えば、２メートル等）以上離れた場合に、該操作者が有する操作権を無効にする。これにより、操作者が存在しない状態となる。ここで、操作者がスクリーンから所定距離以上離れたか否かは、撮像装置２０から取得される情報処理装置１００から各ユーザまでの位置と、投影装置１０から取得される情報処理装置１００からスクリーンまでの距離とから求められたスクリーンから各ユーザまでの距離を利用して判定される。
【００３７】
そして、決定部１１０は、操作者が存在しない状態において、各ユーザに対して操作権とは異なる権限であるサブ操作権を有効にする設定がなされている場合に、全てのユーザに対するサブ操作権を有効にして、各ユーザをサブ操作者として決定する。但し、各ユーザに対してサブ操作権を有効にする設定がなされていない場合には、いずれのユーザにも操作権及びサブ操作権がないことになる。なお、各ユーザに対してサブ操作権を有効にするか否かの設定は、事前に設定されるものである。また、サブ操作権は、操作権の権限よりも制限があるものとしても良いし、操作者と同様の操作が可能であっても良い。つまり、説明の便宜上、「操作者」と「サブ操作者」との呼称を使い分けているが、サブ操作者であっても、操作者と同様の操作が可能である場合もある。これらにより、操作者がスクリーンから所定距離以上離れたときに、各ユーザのサブ操作権を有効にする設定がなされている場合には、それまで操作者であったユーザを含めた全てのユーザがサブ操作者として決定されることになる。
【００３８】
判定部１３５は、各ユーザに対してサブ操作権を有効にする設定がなされている状態において、検出部１２０によって検出されたジェスチャが決定部１１０によって決定されたサブ操作者によるジェスチャであるか否かを判定する。サブ操作者によるジェスチャであるか否かの判定では、記憶部１３０に記憶された各ユーザに関する位置等の情報と、検出部１２０によって検出されたジェスチャを行なったユーザの位置とが所定距離内である（ほぼ一致する）か否かにより判定される。
【００３９】
生成部１４０は、判定部１３５によってサブ操作者によるジェスチャであると判定された場合に、該ジェスチャに対応する操作を記憶部１３０から取得する。そして、生成部１４０は、取得した操作に応じて投影装置１０に投影させる画像を生成し、出力部１５０に出力する。
【００４０】
[実施の形態３に係る操作者決定処理の流れ]
次に、図７を用いて、実施の形態３に係る操作者決定処理の流れについて説明する。図７は、実施の形態３に係る操作者決定処理の流れの例を示すフローチャートである。なお、実施の形態１に係る操作者決定処理と同様の処理についてはその説明を省略する場合がある。具体的には、ステップＳ３０１〜ステップＳ３０３は、ステップＳ１０１〜ステップＳ１０３における処理と同様である。
【００４１】
図７に示すように、決定部１１０は、ステップＳ３０３における操作者の決定後、操作者が移動したか否かを判定する（ステップＳ３０４）。このとき、決定部１１０は、操作者が移動したと判定した場合に（ステップＳ３０４肯定）、スクリーンから所定距離以上離れたか否かを判定する（ステップＳ３０５）。なお、操作者が移動したか否か、又は、スクリーンから所定距離以上離れたか否かは、撮像装置２０又は投影装置１０から適宜取得される、情報処理装置１００から各ユーザまでの位置と、情報処理装置１００からスクリーンまでの距離とから求められた、スクリーンから各ユーザまでの距離を利用して判定される。
【００４２】
そして、決定部１１０は、スクリーンから所定距離以上離れたと判定した場合に（ステップＳ３０５肯定）、操作者以外のユーザによるジェスチャ、すなわち各ユーザに対してサブ操作権を有効にする設定がなされているか否かを判定する（ステップＳ３０６）。一方、決定部１１０によって操作者が移動していないと判定された場合（ステップＳ３０４否定）、スクリーンから所定距離以上離れていないと判定された場合には（ステップＳ３０５否定）、ステップＳ３０８の処理が実行される。
【００４３】
このとき、決定部１１０は、各ユーザに対してサブ操作権を有効にする設定がなされている場合に（ステップＳ３０６肯定）、各ユーザをサブ操作権を有するサブ操作者とすることにより、全てのユーザによるジェスチャを有効にする（ステップＳ３０７）。一方、決定部１１０は、各ユーザに対するサブ操作権を有効にする設定がなされていない場合に（ステップＳ３０６否定）、ステップＳ３０２の処理を再度実行する。
【００４４】
また、検出部１２０は、撮像装置２０から得られた映像から、ユーザによるジェスチャを取得したか否かを判定することにより、ジェスチャが検出されたか否かを判定する（ステップＳ３０８）。このとき、検出部１２０によってジェスチャが検出されたと判定された場合に（ステップＳ３０８肯定）、判定部１３５は、決定部１１０によって決定された操作者によるジェスチャであるか否かを判定する（ステップＳ３０９）。一方、検出部１２０によってジェスチャが検出されていないと判定された場合に（ステップＳ３０８否定）、決定部１１０は、ステップＳ３０２の処理を再度実行する。
【００４５】
また、生成部１４０は、判定部１３５によって操作者によるジェスチャであると判定された場合に（ステップＳ３０９肯定）、該ジェスチャに対応する操作を記憶部１３０から取得し、取得した操作に応じて投影装置１０に投影させる画像を生成する（ステップＳ３１１）。一方、生成部１４０は、判定部１３５によって操作者によるジェスチャでないと判定された場合に（ステップＳ３０９否定）、操作者以外のジェスチャが有効であるか、すなわちサブ操作者によるジェスチャが有効であるか否かを判定する（ステップＳ３１０）。
【００４６】
このとき、生成部１４０は、サブ操作者によるジェスチャが有効であると判定した場合に（ステップＳ３１０肯定）、サブ操作者によるジェスチャに対応する操作を記憶部１３０から取得し、取得した操作に応じて投影装置１０に投影させる画像を生成する（ステップＳ３１１）。一方、生成部１４０によってサブ操作者によるジェスチャが有効でないと判定された場合に（ステップＳ３１０否定）、決定部１１０は、ステップＳ３０２の処理を再度実行する。これらの後、出力部１５０は、生成部１４０によって生成された画像を投影装置１０に出力する（ステップＳ３１２）。
【００４７】
[実施の形態３による効果]
上述したように、情報処理装置１００は、スクリーンから所定距離以上離れた操作者によるジェスチャを無効にし、このとき、サブ操作者によるジェスチャを有効にする設定がなされている場合に、全てのユーザにサブ操作権を与え、各ユーザによるジェスチャに応じた画像を生成及び出力する。換言すると、情報処理装置１００は、操作者がスクリーンから所定距離以上離れることで、操作者によるプレゼンテーションが終了又は一時中断したこととして、全てのユーザにも操作権（サブ操作権）を付与する。これらの結果、情報処理装置１００は、プレゼンテーションの状況に応じて、各ユーザの操作権を好適に変化させるので、投影装置１０を利用したプレゼンテーションの進行をより円滑にすることができる。
【００４８】
（実施の形態４）
上記実施の形態２では、所定範囲内に存在するユーザを操作者とする場合を説明したが、操作者が所定範囲から外れたときに該操作者によるジェスチャを無効にすることもできる。そこで、実施の形態４では、操作者が所定範囲から外れたときに該操作者によるジェスチャを無効にする場合を説明する。なお、実施の形態４では、以下に示す決定部１１０、判定部１３５、生成部１４０及び設定部以外の各部の機能及び構成、処理については実施の形態２と同様である。
【００４９】
[実施の形態４に係る操作者決定処理]
図８を適宜用いて、実施の形態４に係る操作者決定処理を説明する。図８は、実施の形態４に係る操作者決定処理を説明する図である。また、実施の形態４に係る情報処理装置１００は、操作者の操作権が無効にされたときなどに、ユーザ或いはシステム管理者によって行なわれた、各ユーザに対して投影装置１０の操作を有効にするか否かの設定を受け付ける設定部（不図示）を備えている。
【００５０】
実施の形態４に係る決定部１１０は、操作者が所定範囲から外れた場合に、該操作者の操作権（該操作者によるジェスチャ）を無効にする。そして、決定部１１０は、操作者の操作権が無効になされたときに、各ユーザに対して投影装置１０の操作を有効にする設定がなされている場合に、各ユーザを、操作権とは異なる権限であるサブ操作権を有するサブ操作者として決定する。
【００５１】
図８に示すように、決定部１１０は、所定範囲内に存在することから操作者となっていたユーザが所定範囲から外れた場合に、該操作者が有する操作権を無効にする。ここで、操作者が所定範囲から外れたか否かは、スクリーンから各ユーザまでの距離や情報処理装置１００から各ユーザまでの距離（方向）等をもとに判定される。
【００５２】
そして、決定部１１０は、全ての操作者が所定範囲から外れた、すなわち操作者が存在しない状態において、各ユーザに対して操作権とは異なる権限であるサブ操作権を有効にする設定がなされている場合に、全てのユーザに対するサブ操作権を有効にして、各ユーザをサブ操作者として決定する。但し、各ユーザに対してサブ操作権を有効にする設定がなされていない場合には、いずれのユーザにも操作権及びサブ操作権がないことになる。なお、各ユーザに対してサブ操作権を有効にするか否かの設定は、事前に設定されるものである。また、サブ操作権は、操作権の権限よりも制限があるものとしても良いし、操作者と同様の操作が可能であっても良い。つまり、説明の便宜上、「操作者」と「サブ操作者」との呼称を使い分けているが、サブ操作者であっても、操作者と同様の操作が可能である場合もある。これらにより、全ての操作者が所定範囲から外れたときに、各ユーザのサブ操作権を有効にする設定がなされている場合には、それまで操作者であったユーザを含めた全てのユーザがサブ操作者として決定されることになる。
【００５３】
判定部１３５は、各ユーザに対してサブ操作権を有効にする設定がなされている状態において、検出部１２０によって検出されたジェスチャが決定部１１０によって決定されたサブ操作者によるジェスチャであるか否かを判定する。サブ操作者によるジェスチャであるか否かの判定では、記憶部１３０に記憶された各ユーザに関する位置等の情報と、検出部１２０によって検出されたジェスチャを行なったユーザの位置とが所定距離内である（ほぼ一致する）か否かにより判定される。
【００５４】
生成部１４０は、判定部１３５によってサブ操作者によるジェスチャであると判定された場合に、該ジェスチャに対応する操作を記憶部１３０から取得する。そして、生成部１４０は、取得した操作に応じて投影装置１０に投影させる画像を生成し、出力部１５０に出力する。
【００５５】
[実施の形態４に係る操作者決定処理の流れ]
次に、図９を用いて、実施の形態４に係る操作者決定処理の流れについて説明する。図９は、実施の形態４に係る操作者決定処理の流れの例を示すフローチャートである。なお、実施の形態２に係る操作者決定処理と同様の処理についてはその説明を省略する場合がある。具体的には、ステップＳ４０１〜ステップＳ４０４は、ステップＳ２０１〜ステップＳ２０４における処理と同様である。
【００５６】
図９に示すように、決定部１１０は、ステップＳ４０４における操作者の決定後、操作者が移動したか否かを判定する（ステップＳ４０５）。このとき、決定部１１０は、操作者が移動したと判定した場合に（ステップＳ４０５肯定）、操作者全てが所定範囲から外れたか否かを判定する（ステップＳ４０６）。なお、操作者が移動したか否か、又は、所定範囲から外れたか否かは、スクリーンから各ユーザまでの距離や情報処理装置１００からユーザまでの距離（方向）等を利用して判定される。
【００５７】
そして、決定部１１０は、操作者全てが所定範囲から外れたと判定した場合に（ステップＳ４０６肯定）、操作者以外のユーザによるジェスチャ、すなわち各ユーザに対してサブ操作権を有効にする設定がなされているか否かを判定する（ステップＳ４０７）。一方、決定部１１０によって操作者が移動していないと判定された場合（ステップＳ４０５否定）、全ての操作者が所定範囲から外れていないと判定された場合には（ステップＳ４０６否定）、ステップＳ４０９の処理が実行される。
【００５８】
このとき、決定部１１０は、各ユーザに対してサブ操作権を有効にする設定がなされている場合に（ステップＳ４０７肯定）、各ユーザをサブ操作権を有するサブ操作者とすることにより、全てのユーザによるジェスチャを有効にする（ステップＳ４０８）。一方、決定部１１０は、各ユーザに対するサブ操作権を有効にする設定がなされていない場合に（ステップＳ４０７否定）、ステップＳ４０２の処理を再度実行する。
【００５９】
また、検出部１２０は、撮像装置２０から得られた映像から、ユーザによるジェスチャを取得したか否かを判定することにより、ジェスチャが検出されたか否かを判定する（ステップＳ４０９）。このとき、検出部１２０によってジェスチャが検出されたと判定された場合に（ステップＳ４０９肯定）、判定部１３５は、決定部１１０によって決定された操作者によるジェスチャであるか否かを判定する（ステップＳ４１０）。一方、検出部１２０によってジェスチャが検出されていないと判定された場合に（ステップＳ４０９否定）、決定部１１０は、ステップＳ４０２の処理を再度実行する。
【００６０】
また、判定部１３５によって操作者によるジェスチャであると判定された場合に（ステップＳ４１０肯定）、生成部１４０は、該ジェスチャに対応する操作を記憶部１３０から取得し、取得した操作に応じて投影装置１０に投影させる画像を生成する（ステップＳ４１２）。一方、生成部１４０は、判定部１３５によって操作者によるジェスチャでないと判定された場合に（ステップＳ４１０否定）、操作者以外のジェスチャが有効であるか、すなわちサブ操作者によるジェスチャが有効であるか否かを判定する（ステップＳ４１１）。
【００６１】
このとき、生成部１４０は、サブ操作者によるジェスチャが有効であると判定した場合に（ステップＳ４１１肯定）、サブ操作者によるジェスチャに対応する操作を記憶部１３０から取得し、取得した操作に応じて投影装置１０に投影させる画像を生成する（ステップＳ４１２）。一方、生成部１４０によってサブ操作者によるジェスチャが有効でないと判定された場合に（ステップＳ４１１否定）、決定部１１０は、ステップＳ４０２の処理を再度実行する。これらの後、出力部１５０は、生成部１４０によって生成された画像を投影装置１０に出力する（ステップＳ４１３）。
【００６２】
[実施の形態４による効果]
上述したように、情報処理装置１００は、所定範囲から外れた操作者によるジェスチャを無効にし、このとき、サブ操作者によるジェスチャを有効にする設定がなされている場合に、全てのユーザにサブ操作権を与え、各ユーザによるジェスチャに応じた画像を生成及び出力する。換言すると、情報処理装置１００は、操作者が所定範囲から外れることで、操作者によるプレゼンテーションが終了又は一時中断したこととして、全てのユーザにも操作権（サブ操作権）を付与する。これらの結果、情報処理装置１００は、プレゼンテーションの状況に応じて、各ユーザの操作権を好適に変化させるので、投影装置１０を利用したプレゼンテーションの進行をより円滑にすることができる。
【００６３】
（実施の形態５）
上記実施の形態１又は２では、操作者以外のユーザによるジェスチャが無効である場合を説明したが、操作者以外のユーザによる特定のジェスチャを有効にすることもできる。そこで、実施の形態５では、操作者以外のユーザによる特定のジェスチャを有効にする場合を説明する。なお、実施の形態５では、以下に示す生成部１４０、決定部１１０及び判定部１３５以外の各部の機能及び構成、処理については実施の形態１又は２と同様である。
【００６４】
[実施の形態５に係る操作者決定処理]
実施の形態５に係る生成部１４０は、検出されたジェスチャが操作者によるジェスチャでなくても、割り込み可能な特定のジェスチャである場合に、該特定のジェスチャに対応する画像を生成する。より具体的には、判定部１３５は、検出部１２０によって検出されたジェスチャが決定部１１０によって決定された操作者によるジェスチャであるか否かを判定する。また、判定部１３５は、検出部１２０によって検出されたジェスチャが割り込みを可能とする特定のジェスチャであるか否かを判定する。割り込みを可能とする特定のジェスチャであるか否かの判定では、ジェスチャに対応する操作が、割り込み可であるか或いは割り込み不可であるかを記憶する割り込みテーブルが利用される。
【００６５】
図１０は、割り込みテーブルの例を示す図である。図１０に示すように、割り込みテーブルは、ジェスチャに対応する各操作それぞれについて、割り込み可であるか或いは割り込み不可であるかを記憶する。例を挙げると、割り込みテーブルは、ジェスチャに対応する操作「次ページ」と、割り込み「不可」とを対応付けて記憶する。他の例を挙げると、割り込みテーブルは、ジェスチャに対応する操作「拡大」と、割り込み「可」とを対応付けて記憶する。詳細には、図１０に示した割り込みテーブルの例によれば、操作者以外のユーザによるジェスチャに対応する操作が「次ページ」又は「前ページ」である場合には割り込みが「不可」となり、操作者以外のユーザによるジェスチャに対応する操作が「拡大」又は「縮小」である場合には割り込みが「可」となる。つまり、基本的には操作権を有さないユーザに対しても、プレゼンテーションの妨げにはならないと考えられる、ページの拡大又は縮小等の操作は可能となっている。
【００６６】
これらにより、生成部１４０は、判定部１３５によって、操作者によるジェスチャでないと判定された場合、且つ、該ジェスチャが割り込みを可能とする特定のジェスチャであると判定された場合に、特定のジェスチャに対応する操作を記憶部１３０から取得する。そして、生成部１４０は、取得された特定のジェスチャに対応する操作に応じて投影装置１０に投影させる画像を生成し、出力部１５０に出力する。
【００６７】
[実施の形態５に係る操作者決定処理の流れ]
次に、図１１を用いて、実施の形態５に係る操作者決定処理の流れについて説明する。図１１は、実施の形態５に係る操作者決定処理の流れの例を示すフローチャートである。なお、図１１では、スクリーンに最も近いユーザを操作者とする場合の操作者決定処理の流れを説明する。また、実施の形態１に係る操作者決定処理と同様の処理についてはその説明を省略する場合がある。具体的には、ステップＳ５０１〜ステップＳ５０４は、ステップＳ１０１〜ステップＳ１０４における処理と同様である。
【００６８】
図１１に示すように、判定部１３５は、検出部１２０によってジェスチャが検出されたと判定された場合に（ステップＳ５０４肯定）、決定部１１０によって決定された操作者によるジェスチャであるか否かを判定する（ステップＳ５０５）。このとき、判定部１３５によって操作者によるジェスチャであると判定された場合に（ステップＳ５０５肯定）、生成部１４０は、該ジェスチャに対応する操作を記憶部１３０から取得し、取得した操作に応じて投影装置１０に投影させる画像を生成する（ステップＳ５０７）。
【００６９】
一方、判定部１３５は、操作者によるジェスチャでないと判定した場合に（ステップＳ５０５否定）、該ジェスチャに対応する操作を記憶部１３０から取得し、取得したジェスチャに対応する操作について、割り込みテーブルを利用して、割り込み可能な特定のジェスチャであるか否かを判定する（ステップＳ５０６）。このとき、判定部１３５によって割り込み可能な特定のジェスチャであると判定された場合に（ステップＳ５０６肯定）、生成部１４０は、該ジェスチャに対応する操作に応じて投影装置１０に投影させる画像を生成する（ステップＳ５０７）。一方、判定部１３５によって割り込み可能な特定のジェスチャでないと判定された場合に（ステップＳ５０６否定）、決定部１１０は、ステップＳ５０２の処理を再度実行する。これらの後、出力部１５０は、生成部１４０によって生成された画像を投影装置１０に出力する（ステップＳ５０８）。
【００７０】
次に、図１２を用いて、実施の形態５に係る操作者決定処理の流れについて説明する。図１２は、実施の形態５に係る操作者決定処理の流れの例を示すフローチャートである。なお、図１２では、所定範囲内に存在するユーザを操作者とする場合の操作者決定処理の流れを説明する。また、実施の形態２に係る操作者決定処理と同様の処理についてはその説明を省略する場合がある。具体的には、ステップＳ６０１〜ステップＳ６０５は、ステップＳ２０１〜ステップＳ２０５における処理と同様である。
【００７１】
図１２に示すように、判定部１３５は、検出部１２０によってジェスチャが検出されたと判定された場合に（ステップＳ６０５肯定）、決定部１１０によって決定された操作者によるジェスチャであるか否かを判定する（ステップＳ６０７）。このとき、判定部１３５によって操作者によるジェスチャであると判定された場合に（ステップＳ６０６肯定）、生成部１４０は、該ジェスチャに対応する操作を記憶部１３０から取得し、取得した操作に応じて投影装置１０に投影させる画像を生成する（ステップＳ６０８）。
【００７２】
一方、判定部１３５は、操作者によるジェスチャでないと判定した場合に（ステップＳ６０６否定）、該ジェスチャに対応する操作を記憶部１３０から取得し、取得したジェスチャに対応する操作について、割り込みテーブルを利用して、割り込み可能な特定のジェスチャであるか否かを判定する（ステップＳ６０７）。このとき、判定部１３５によって割り込み可能な特定のジェスチャであると判定された場合に（ステップＳ６０７肯定）、生成部１４０は、該ジェスチャに対応する操作に応じて投影装置１０に投影させる画像を生成する（ステップＳ６０８）。一方、判定部１３５によって割り込み可能な特定のジェスチャでないと判定された場合に（ステップＳ６０７否定）、決定部１１０は、ステップＳ６０２の処理を再度実行する。これらの後、出力部１５０は、生成部１４０によって生成された画像を投影装置１０に出力する（ステップＳ６０９）。
【００７３】
[実施の形態５による効果]
上述したように、情報処理装置１００は、操作者が存在している間であっても、操作者以外の操作権を有さないユーザの特定のジェスチャによる操作の割り込みを可能とするので、投影装置１０を利用したプレゼンテーションの進行をより円滑にすることができる。換言すると、情報処理装置１００は、プレゼンテーションの進行の妨げにはならない特定のジェスチャによる操作の割り込みを許可するので、投影装置１０を利用したプレゼンテーションの進行をより円滑にすることができる。
【００７４】
（実施の形態６）
さて、これまで本発明に係る情報処理装置１００の実施の形態について説明したが、上述した実施の形態以外にも種々の異なる形態にて実施されて良いものである。そこで、（１）時間経過によって操作者を変化、（２）操作者の再登場、（３）構成、（４）プログラム、について異なる実施の形態を説明する。
【００７５】
（１）時間経過によって操作者を変化
上記実施の形態３又は４では、操作者がスクリーンから所定距離離れた、或いは、操作者が所定範囲から外れたときに操作者の操作権を無効にして、各ユーザのジェスチャによる操作を有効にする場合を説明したが、時間経過によって操作者を変化させても良い。ここで、操作者の変化とは、決定された操作者の中で操作権を変化させるのではなく、操作権を有さないユーザのジェスチャによる操作を時間経過によって有効にすることを指す。
【００７６】
図１３を用いて、時間経過によって操作者を変化させる場合の操作者決定処理の流れについて説明する。図１３は、時間経過によって操作者を変化させる場合の操作者決定処理の流れの例を示すフローチャートである。なお、図１３では、スクリーンに最も近いユーザを操作者とする場合の操作者決定処理の流れを説明する。また、実施の形態３に係る操作者決定処理と同様の処理についてはその説明を省略する場合がある。具体的には、ステップＳ７０１〜ステップＳ７０３は、ステップＳ３０１〜ステップＳ３０３における処理と同様である。また、ステップＳ７０７〜ステップＳ７１３は、ステップＳ３０６〜ステップＳ３１２における処理と同様である。
【００７７】
図１３に示すように、決定部１１０は、ステップＳ７０３における操作者の決定後、操作者が移動したか否かを判定する（ステップＳ７０４）。このとき、決定部１１０は、操作者が移動したと判定した場合に（ステップＳ７０４肯定）、スクリーンから所定距離以上離れたか否かを判定する（ステップＳ７０５）。なお、操作者が移動したか否か、又は、スクリーンから所定距離以上離れたか否かは、撮像装置２０又は投影装置１０から適宜取得される、情報処理装置１００から各ユーザまでの位置と、情報処理装置１００からスクリーンまでの距離とから求められた、スクリーンから各ユーザまでの距離を利用して判定される。
【００７８】
そして、決定部１１０は、スクリーンから所定距離以上離れたと判定した場合に（ステップＳ７０５肯定）、操作者以外のユーザによるジェスチャ、すなわち各ユーザに対するサブ操作権を有効にする設定がなされているか否かを判定する（ステップＳ７０７）。一方、決定部１１０は、操作者が移動していないと判定した場合（ステップＳ７０４否定）、スクリーンから所定距離以上離れていないと判定した場合に（ステップＳ７０５否定）、割り込み不可時間を過ぎたか否かを判定する（ステップＳ７０６）。割り込み不可時間とは、操作者以外のユーザのジェスチャによる操作である割り込み操作が不可である時間を指す。例えば、割り込み不可時間は、プレゼンテーションの時間が２０分、質疑応答が１０分等と決まっている場合に、２０分として設定される。つまり、プレゼンテーションが終了した後は、各ユーザに対して操作権（サブ操作権）が付与される。そして、操作者以外のユーザのサブ操作権を有効にする設定がなされていれば、プレゼンテーションの進行を妨げることなく、その後の質疑応答の進行を円滑にすることができる。
【００７９】
このとき、決定部１１０は、割り込み不可時間を過ぎたと判定した場合に（ステップＳ７０６肯定）、操作者以外のユーザによるジェスチャ、すなわち各ユーザに対するサブ操作権を有効にする設定がなされているか否かを判定する（ステップＳ７０７）。一方、決定部１１０によって割り込み不可時間を過ぎていないと判定された場合に（ステップＳ７０６否定）、検出部１２０は、撮像装置２０から得られた映像から、ユーザによるジェスチャを取得したか否かを判定することにより、ジェスチャが検出されたか否かを判定する（ステップＳ７０９）。
【００８０】
次に、図１４を用いて、時間経過によって操作者を変化させる場合の操作者決定処理の流れについて説明する。図１４は、時間経過によって操作者を変化させる場合の操作者決定処理の流れの例を示すフローチャートである。なお、図１４では、所定範囲内に存在するユーザを操作者とする場合の操作者決定処理の流れを説明する。また、実施の形態４に係る操作者決定処理と同様の処理についてはその説明を省略する場合がある。具体的には、ステップＳ８０１〜ステップＳ８０４は、ステップＳ４０１〜ステップＳ４０４における処理と同様である。また、ステップＳ８０８〜ステップＳ８１４は、ステップＳ４０７〜ステップＳ４１３における処理と同様である。
【００８１】
図１４に示すように、決定部１１０は、ステップＳ８０４における操作者の決定後、操作者が移動したか否かを判定する（ステップＳ８０５）。このとき、決定部１１０は、操作者が移動したと判定した場合に（ステップＳ８０５肯定）、操作者全てが所定範囲から外れたか否かを判定する（ステップＳ８０６）。なお、操作者が移動したか否か、又は、所定範囲から外れたか否かは、スクリーンから各ユーザまでの距離や情報処理装置１００から各ユーザまでの距離（方向）等を利用して判定される。
【００８２】
そして、決定部１１０は、操作者全てが所定範囲から外れたと判定した場合に（ステップＳ８０６肯定）、操作者以外のユーザによるジェスチャ、すなわち各ユーザに対するサブ操作権を有効にする設定がなされているか否かを判定する（ステップＳ８０８）。一方、決定部１１０は、操作者が移動していないと判定した場合（ステップＳ８０５否定）、全ての操作者が所定範囲から外れていないと判定した場合に（ステップＳ８０６否定）、割り込み不可時間を過ぎたか否かを判定する（ステップＳ８０７）。
【００８３】
このとき、決定部１１０は、割り込み不可時間を過ぎたと判定した場合に（ステップＳ８０７肯定）、操作者以外のユーザによるジェスチャ、すなわち各ユーザに対するサブ操作権を有効にする設定がなされているか否かを判定する（ステップＳ８０８）。一方、決定部１１０によって割り込み不可時間を過ぎていないと判定された場合に（ステップＳ８０７否定）、検出部１２０は、撮像装置２０から得られた映像から、ユーザによるジェスチャを取得したか否かを判定することにより、ジェスチャが検出されたか否かを判定する（ステップＳ８１０）。
【００８４】
上述したように、情報処理装置１００は、プレゼンテーションが始まってから所定時間の経過に伴い、操作者以外のユーザに対して操作権（サブ操作権）を付与するので、プレゼンテーションの後に質疑応答を設けるような時間を設定している場合に、プレゼンテーションの進行を妨げることなく、その後の質疑応答の進行を円滑にすることができる。
【００８５】
（２）操作者の再登場
また、上記実施の形態１又は２では、スクリーンに最も近いユーザを操作者としたり、所定範囲内に存在するユーザを操作者としたりする場合を説明したが、操作者がスクリーンから所定距離以上離れたり、所定範囲から外れたりして操作者が居なくなったときに、そのときの画面を記録しておき、操作者が現れたときに記録している画面を再度出力しても良い。ここで、再登場する操作者は、画面を記録するときに居なくなった操作者とは異なるユーザである場合もある。
【００８６】
図１５を用いて、記録した画面を再度出力する機能を有する情報処理装置の構成を説明する。図１５は、記録した画面を再度出力する機能を有する情報処理装置の構成例を示す機能ブロック図である。なお、図１５では、実施の形態１と同様の構成については同一の符号を付し、同様の構成についての詳細な説明を省略する場合がある。
【００８７】
図１５に示すように、情報処理装置２００は、プロジェクタ等の投影装置１０と、カメラ等の撮像装置２０と、決定部１１０と、検出部１２０と、記憶部１３０と、生成部１４０と、出力部２５０と、画像情報記録部２６０と、再生成部２７０とを有する。
【００８８】
画像情報記録部２６０は、投影中の画像に関する画像情報を記憶部１３０に記録する。より具体的には、画像情報記録部２６０は、決定部１１０によって全ての操作権が無効にされた場合に、投影装置１０によって投影されている画像に関する画像情報を記憶部１３０に記録する。全ての操作権が無効にされた場合とは、例えば、操作者がスクリーンから所定距離以上離れたり、全ての操作者が所定範囲から外れたりした場合である。また、画像情報は、例えば、投影中の画像のページ番号や、拡大率又は縮小率等の表示状態であり、投影装置１０から取得される。
【００８９】
再生成部２７０は、記憶部１３０から画像情報を取得し、取得した画像情報をもとに画像を再生成する。より具体的には、再生成部２７０は、決定部１１０によって操作権が無効にされた後、操作者が再度決定された場合に、記憶部１３０からページ番号や表示状態等である画像情報を取得する。そして、再生成部２７０は、取得した画像情報をもとに画像を再生成する。ここで、再登場する（再度決定される）操作者は、画像情報記録部２６０によって画像情報が記録されたときの操作者と同一人物でなくても良い。その後、出力部２５０は、再生成部２７０によって再生成された画像を投影装置１０に出力する。これに応じて、投影装置１０の投影部１１は、出力部２５０によって出力された画像をスクリーンに投影する。
【００９０】
次に、図１６を用いて、記録した画像を再度出力する記録画像再出力処理の流れについて説明する。図１６は、記録画像再出力処理の流れの例を示すフローチャートである。なお、記録画像再出力処理は、上述してきた各実施の形態の処理フローと並行して実行される。
【００９１】
図１６に示すように、画像情報記録部２６０は、決定部１１０によって決定された操作者がスクリーンから所定距離以上離れたり所定範囲から外れたりして、操作者が居なくなった場合に（ステップＳ９０１肯定）、投影中の画像に関する画像情報を投影装置１０から取得し、取得した画像情報を記憶部１３０に記録する（ステップＳ９０２）。一方、画像情報記録部２６０は、操作者が存在する間は（ステップＳ９０１否定）、ステップＳ９０１の処理を再度実行する。なお、操作者が存在しない間は、上記実施の形態に記載のように、操作者以外のユーザのジェスチャによって各種操作が行なわれる場合がある。
【００９２】
また、再生成部２７０は、操作者が居なくなった後、決定部１１０によって操作者が再度決定される、すなわち操作者が現れたか否かを判定する（ステップＳ９０３）。このとき、再生成部２７０は、操作者が現れたと判定した場合に（ステップＳ９０３肯定）、記憶部１３０から画像情報を取得し、取得した画像情報をもとに画像を再生成する（ステップＳ９０４）。一方、再生成部２７０は、操作者が現れない間は（ステップＳ９０３否定）、ステップＳ９０３の処理を再度実行する。また、出力部２５０は、再生成部２７０によって再生成された画像を投影装置１０に出力する（ステップＳ９０５）。
【００９３】
上述したように、情報処理装置２００は、プレゼンテーションの中断や操作者の休憩等により操作者が居なくなったり、操作者が交代したりする場合に、そのときの画像情報を記録しておき、操作者が再登場したときに記録している画像情報をもとに画像を再生成及び出力する。この結果、情報処理装置２００は、投影装置１０を利用したプレゼンテーションの進行をより円滑にすることができる。
【００９４】
（３）構成
また、上記文書中や図面中等で示した処理手順、制御手順、具体的名称、各種のデータやパラメタ等を含む情報は、特記する場合を除いて任意に変更することができる。例えば、割り込みテーブルに記憶される情報は、図示のものに限られるわけではなく、用途に応じて適宜変更することができる。
【００９５】
また、図示した情報処理装置１００又は情報処理装置２００の各構成要素は、機能概念的なものであり、必ずしも物理的に図示の如く構成されていることを要しない。すなわち、各装置の分散又は統合の具体的形態は、図示のものに限られず、その全部又は一部を各種の負担や使用状況等に応じて、任意の単位で機能的又は物理的に分散又は統合することができる。例えば、情報処理装置１００又は情報処理装置２００は、投影装置１０と撮像装置２０とを含まない構成であっても良い。投影装置１０と撮像装置２０とは、ネットワークやケーブル等を介して情報処理装置１００又は情報処理装置２００に接続され、これらを含む投影システムとして実現することもできる。
【００９６】
また、上記実施の形態１等では、スクリーンから最も近いユーザを操作者とする例を説明したが、スクリーンから最も近く且つスクリーンから所定距離内に居るユーザを操作者とするようにしても良い。つまり、スクリーンから最も近い位置に居たとしても、座席に座っている等、プレゼンテーションを行なっていない場合もあるため、スクリーンから最も近い位置に居て且つスクリーンから所定距離内に居るユーザを操作者とする。
【００９７】
また、上記実施の形態では、スクリーンから各ユーザまでの距離に応じて操作者を決定する場合を説明したが、所定の位置から各ユーザまでの距離に応じて操作者を決定しても良い。つまり、スクリーンではない所定の位置から最も近いユーザや、所定の位置からの距離に応じた所定範囲内に存在するユーザ等を操作者として決定する。
【００９８】
（４）プログラム
図１７は、操作者決定プログラムがコンピュータを用いて実現されることを示す図である。図１７に示すように、情報処理装置１００としてのコンピュータ１０００は、バス１００９で接続された、ＣＰＵ（Central  Processing  Unit）１００１等の制御装置と、ＲＯＭ（Read  Only  Memory）１００２やＲＡＭ（Random  Access  Memory）１００３等の記憶装置と、ＨＤＤ（Hard  Disk  Drive）１００４、ディスクドライブ１００５等の外部記憶装置と、ディスプレイ１００６等の表示装置と、キーボード１００７やマウス１００８等の入力装置を備えており、通常のコンピュータを利用したハードウェア構成となっている。
【００９９】
情報処理装置１００で実行される操作者決定プログラムは、一つの様態として、インストール可能な形式又は実行可能な形式ファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、情報処理装置１００で実行される操作者決定プログラムを、インターネット等のネットワークに接続されたコンピュータ上に格納し、ネットワーク経由でダウンロードさせることにより提供するように構成しても良い。また、情報処理装置１００で実行される操作者決定プログラムをインターネット等のネットワーク経由で提供又は配布するように構成しても良い。また、操作者決定プログラムを、ＲＯＭ等に組み込んで提供するように構成しても良い。
【０１００】
情報処理装置１００で実行される操作者決定プログラムは、上述した各機能部（決定部１１０、検出部１２０、生成部１４０、出力部１５０）を含むモジュール構成となっており、実際のハードウェアとしてＣＰＵ（プロセッサ）が記憶媒体から操作者決定プログラムを読み出して実行することにより、上記各機能部が主記憶装置上にロードされ、決定部１１０、検出部１２０、生成部１４０、出力部１５０が主記憶装置上に生成されるようになっている。
【符号の説明】
【０１０１】
１０    投影装置
２０    撮像装置
１００  情報処理装置
１１０  決定部
１２０  検出部
１３０  記憶部
１３５  判定部
１４０  生成部
１５０  出力部
【先行技術文献】
【特許文献】
【０１０２】
【特許文献１】特開２０１０−２７７１７６号公報
【図１】
0005929376.tif 000002
【図２】
0005929376.tif 000003
【図３】
0005929376.tif 000004
【図４】
0005929376.tif 000005
【図５】
0005929376.tif 000006
【図６】
0005929376.tif 000007
【図７】
0005929376.tif 000008
【図８】
0005929376.tif 000009
【図９】
0005929376.tif 000010
【図１０】
0005929376.tif 000011
【図１１】
0005929376.tif 000012
【図１２】
0005929376.tif 000013
【図１３】
0005929376.tif 000014
【図１４】
0005929376.tif 000015
【図１５】
0005929376.tif 000016
【図１６】
0005929376.tif 000017
【図１７】
0005929376.tif 000018